【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】  式ＩＩＩ：
【化１３】
2002527522.tif 000001
［式中、
Ｒ５０’、Ｒ３０’またはＲ２０’の少なくとも１つが式：
【化１４】
2002527522.tif 000002
で表され、Ｒ５０’、Ｒ３０’またはＲ２０’の他の２つがＨであるかまたは式：
【化１５】
2002527522.tif 000003
で表され、
Ｑが
【化１６５】
2002527522.tif 000004
であり、
Ｒ５１およびＲ５２が独立してＨ、アルキル、アルケニル、アルキニル、（Ｃ３−Ｃ７）シクロアルキル、アリールアルキル、またはハロ、ＯＨ、ＳＨ、ＣＦ３、ＳＲ５７、ＯＲ５７もしくはＮＨ２で置換されたアルキル、アルケニル、アルキニル、（Ｃ３−Ｃ７）シクロアルキル、アリールアルキルであるかまたは
Ｒ５１およびＲ５２は（ＣＲ５１Ｒ５２）中炭素原子と一緒になってシクロプロパン、シクロブタン、シクロペンタンまたはシクロヘキサンを形成し；
Ｒ５３およびＲ５４が独立してＨ、アルカノイル、アルキル、アリール、アリールアルキル、アルケニル、アルキニルまたはハロ、ＯＨ、ＳＨ、ＣＦ３、ＳＲ５７、ＯＲ５７で置換されたアルカノイル、アルキル、アリール、アリールアルキル、アルケニル、アルキニルであるか；またはＲ５３およびＲ５４は独立して
【化１７】
2002527522.tif 000005
であり
Ｒ５７がＨ、アルキル、アルカノイル、アルケノイル、アリール、アリールアルキル、アルケニル、アルキニル、またはハロ、ＯＨ、ＳＨ、ＣＦ３、アルカノイルチエニルもしくはアルカノイルオキシで置換されたアルキル、アリール、アリールアルキル、アルケニル、アルキニルであり；
Ｒ５８がＨ、アルキル、アリール、アリールアルキル、アルケニルまたはアルキニルであり；
ｑが０、１または２であり；ｋが１または２である］
で表されるかまたはその医薬上許容される塩である化合物。
【請求項２】  請求項１記載の式ＩＩＩで表される化合物の有効量を医薬上許容される担体とともに含む罹患性ウイルス感染処置用医薬組成物。
【請求項３】  検出可能なＨＣＶ−ＲＮＡレベルを根絶するために十分な式ＩＩＩで表される化合物の有効量をインターフェロン−αの有効量とともに含む慢性Ｃ型肝炎感染処置用医薬の製造における式ＩＩＩで表される化合物の使用であって、該化合物が請求項１記載の式ＩＩＩで表される使用。
【請求項４】  式ＩＶ：
【化１８】
2002527522.tif 000006
［式中、
Ｒ５０’’、Ｒ３０’’またはＲ２０’’の少なくとも１つが式：
【化１９】
2002527522.tif 000007
で表され、Ｒ５０’’、Ｒ３０’’またはＲ２０’’の他の２つがＨであるかまたは式：
【化２０】
2002527522.tif 000008
で表され、
Ｔが式：Ｈ２ＮＣＨ２−、Ｈ２ＮＣＨ２ＣＨ２−、ＣＨ３ＣＨ（Ｈ２Ｎ）−、ＣＨ３ＣＨ２ＣＨ（Ｈ２Ｎ）−、ＣＨ３（ＣＨ２）２ＣＨ（Ｈ２Ｎ）−、（ＣＨ３）２ＣＨＣＨ（Ｈ２Ｎ）−、（ＣＨ３）２ＣＨＣＨ２ＣＨ（Ｈ２Ｎ）−、ＣＨ３ＣＨ２ＣＨ（ＣＨ３）ＣＨ（Ｈ２Ｎ）−、ＰｈＣＨ２ＣＨ（Ｈ２Ｎ）−、ＨＯＯＣＣＨ２ＣＨ２ＣＨ（Ｈ２Ｎ）−、ＨＯＯＣＣＨ２ＣＨ（Ｈ２Ｎ）―、ＨＳＣＨ２ＣＨ（Ｈ２Ｎ）―、ＣＨ３ＳＣＨ２ＣＨ２ＣＨ（Ｈ２Ｎ）−、ＨＯＣＨ２ＣＨ（Ｈ２Ｎ）−、Ｈ２Ｎ（ＣＨ２）４ＣＨ（Ｈ２Ｎ）−、ＣＨ３ＣＨ（ＯＨ）ＣＨ（Ｈ２Ｎ）、
【化２１】
2002527522.tif 000009
で表される部分であり、
Ｒ５８およびＲ５９が独立してＨ、アルキル、アルケニル、アルキニル、（Ｃ３−Ｃ７）シクロアルキル、アリールアルキル、またはハロ、ＯＨ、ＳＨ、ＣＦ３、ＳＲ６０、ＯＲ６０もしくはＮＲ６０Ｒ６１で置換されたアルキル、アルケニル、アルキニル、（Ｃ３−Ｃ７）シクロアルキル、アリールアルキルであるかまたは
Ｒ５８およびＲ５９は（ＣＲ５８Ｒ５９）中炭素原子と一緒になってシクロプロパン、シクロブタン、シクロペンタンまたはシクロヘキサンを形成し；
Ｒ６０がＨ、アルキル、アルカノイル、アルケノイル、アリール、アリールアルキル、アルケニル、アルキニルまたはハロ、ＯＨ、ＳＨ、ＣＦ３、アルカノイルチエニルもしくはアルカノイルオキシで置換されたアルキル、アリール、アリールアルキル、アルケニル、アルキニルであり；
Ｒ６１がＨ、アルキル、アリール、アリールアルキル、アルケニルまたはアルキニルであり；
ｄが０、１または２である］
で表されるかまたはその医薬上許容される塩である化合物。
【請求項５】  請求項４記載の式ＩＶで表される化合物の有効量を医薬上許容される担体とともに含む罹患性ウイルス感染処置用医薬組成物。
【請求項６】  検出可能なＨＣＶ−ＲＮＡレベルを根絶するために十分な式ＩＶで表される化合物の有効量をインターフェロン−αの有効量とともに含む慢性Ｃ型肝炎感染処置用医薬の製造における式ＩＶで表される化合物の使用であって、該化合物が請求項４記載の式ＩＶで表される使用。
【請求項７】  式Ｖ：
【化２２】
2002527522.tif 000010
［式中、
Ｒ２０−ＣＯ−が式：
【化２３】
2002527522.tif 000011
（Ｙ＝Ｈ、ＣＨ３；ＣＨ３ＣＨ２−；ＣＨ３ＣＨ２ＣＨ２−；Ｍｅ２ＣＨ−；Ｍｅ２ＣＨ２ＣＨ２−；ＣＨ３ＣＨ２ＣＨ（Ｍｅ）−ＰｈＣＨ２−；ＨＯＯＣＣＨ２ＣＨ２−；ＨＳＣＨ２−；ＨＯＯＣＣＨ２−；ＭｅＳＣＨ２ＣＨ２−；ＨＯＣＨ２−；
【化２４】
2002527522.tif 000012
であるか
またはＹがＨ２Ｎ（ＣＨ２）４−もしくはＣＨ３ＣＨ（ＯＨ）−であるか
またはＹがα炭素およびＮと一緒になって
【化２５】
2002527522.tif 000013
を形成する）
で表される天然または非天然アミノ酸部分である］
で表されるかまたはその医薬上許容される塩である化合物。
【請求項８】  請求項７記載の式Ｖで表される化合物の有効量を医薬上許容される担体とともに含む罹患性ウイルス感染処置用医薬組成物。
【請求項９】  検出可能なＨＣＶ−ＲＮＡレベルを根絶するために十分な式Ｖで表される化合物の有効量をインターフェロン−αの有効量とともに含む慢性Ｃ型肝炎感染処置用医薬の製造における式Ｖで表される化合物の使用であって、該化合物が請求項７記載の式Ｖで表される使用。
【請求項１０】  式ＶＩ：
【化２６】
2002527522.tif 000014
［式中、ＡＡは表ＡＡ中の式の天然または非天然アミノ酸部分である］
で表されるかまたはその医薬上許容される塩である化合物。
【請求項１１】  請求項１０記載の式ＶＩで表される化合物の有効量を医薬上許容される担体とともに含む罹患性ウイルス感染処置用医薬組成物。
【請求項１２】  検出可能なＨＣＶ−ＲＮＡレベルを根絶するために十分な式ＶＩで表される化合物の有効量をインターフェロン−αの有効量とともに含む慢性Ｃ型肝炎感染処置用医薬の製造における式ＶＩで表される化合物の使用であって、該化合物が請求項１０記載の式ＶＩで表される使用。
【請求項１３】  式ＶＩＩ：
【化２７】
2002527522.tif 000015
［式中、Ｒ５０はＣＨ３ＣＨ（ＮＨ２）−ＣＯ−、ＣＨ３ＣＨ２（ＣＨ３）ＣＨＣＨ（ＮＨ２）−ＣＯ−またはＨ２Ｎ（ＣＨ２）４ＣＨ（ＮＨ２）−ＣＯ−である］
で表されるかまたはその医薬上許容される塩である化合物。
【請求項１４】  医薬上許容される塩がトリフルオロアセテート、トシラート、メシラートまたはクロリドである請求項１３記載の化合物。
【請求項１５】  Ｒ５０が
【化２８】
2002527522.tif 000016
であるか、Ｒ５０が
【化２９】
2002527522.tif 000017
であるか、Ｒ５０が
【化３０】
2002527522.tif 000018
であるか、Ｒ５０が
【化３１】
2002527522.tif 000019
であるか、Ｒ５０が
【化３２】
2002527522.tif 000020
であるか、Ｒ５０が
【化３３】
2002527522.tif 000021
であるか、Ｒ５０が
【化３４】
2002527522.tif 000022
であるか、Ｒ５０が
【化３５】
2002527522.tif 000023
であるか、Ｒ５０が
【化３６】
2002527522.tif 000024
であるか、Ｒ５０が
【化３７】
2002527522.tif 000025
である、で表されるかまたはその医薬上許容される塩である請求項１３記載の化合物。
【請求項１６】  請求項１３記載の化合物および少なくとも１つの医薬上許容される担体を含む罹患性ウイルス感染処置用医薬組成物。
【請求項１７】  経口投与用に適合した請求項１３記載の医薬組成物。
【請求項１８】  請求項１３記載の式ＶＩＩで表される化合物の有効量を含む罹病性慢性Ｃ型肝炎感染処置用医薬の製造における式ＶＩＩで表される化合物の使用。
【請求項１９】  検出可能なＨＣＶ−ＲＮＡレベルを根絶するために十分な式ＶＩＩで表される化合物の有効量をインターフェロン−αの有効量とともに含む慢性Ｃ型肝炎感染処置用医薬の製造における式ＶＩＩで表される化合物の使用であって、該化合物が請求項１３記載の式ＶＩＩで表される使用。
【請求項２０】  インターフェロン−αがインターフェロン−α−２ａ、インターフェロン−α−２ｂ、コンセンサスインターフェロン、ＰＥＧ化インターフェロン−α−２ａまたはＰＥＧ化インターフェロン−α−２ｂである請求項１９項記載の使用。
【請求項２１】  式ＶＩＩＩ：
【化３８】
2002527522.tif 000026
で表されるか、またはその医薬上許容される塩である化合物。
【請求項２２】  請求項２１記載の化合物の抗ウイルス有効量およびの医薬上許容される担体を含む医薬組成物。
【請求項２３】  請求項２１記載の式ＶＩＩＩで表される化合物の有効量を含む罹病性慢性Ｃ型肝炎感染処置用医薬の製造における式ＶＩＩＩで表される化合物の使用。
【請求項２４】  検出可能なＨＣＶ−ＲＮＡレベルを根絶するために十分な請求項２１記載の式ＶＩＩＩで表されるかまたはその医薬上許容される塩である化合物の有効量をインターフェロン−αの有効量とともに含む慢性Ｃ型肝炎感染処置用医薬の製造における式ＶＩＩＩで表される化合物の使用。
【請求項２５】  インターフェロン−αがインターフェロン−α−２ａ、インターフェロン−α−２ｂ、コンセンサスインターフェロン、ＰＥＧ化インターフェロン−α−２ａまたはＰＥＧ化インターフェロン−α−２ｂである請求項２４記載の使用。
【請求項２６】  式ＶＩＩＩで表される化合物が経口投与用に適合される請求項２２記載の医薬組成物。
【請求項２７】  医薬上許容される塩がトリフルオロアセテート、トシラート、メシラート、スルフェート、２−ナフタレンスルホネートまたはクロリドである請求項２１記載の化合物。